(57)【要約】【課題】  この発明は、ランプ電力の低減化が図れる投射型映像表示装置を提供することを目的とする。【解決手段】  光源ランプとその光の強度を変調するライトバルブとを備えており、原則的には、ランプ電力が最大値となるように、ランプ電力が制御される投射型映像表示装置において、入力映像信号がない場合、入力映像信号はあるが入力映像が投影されていない状態である場合および入力映像が投影されているが入力映像が全黒映像である場合には、ランプ電力を最小値に制御する手段を備えている。【選択図】  図２
2007025054.tif 000002
【特許請求の範囲】
【請求項１】
光源ランプとその光の強度を変調するライトバルブとを備えており、原則的には、ランプ電力が最大値となるように、ランプ電力が制御される投射型映像表示装置において、
入力映像信号がない場合、入力映像信号はあるが入力映像が投影されてない状態である場合および入力映像が投影されているが入力映像が全黒映像である場合には、ランプ電力を最小値に制御する手段を備えていることを特徴とする投射型映像表示装置。
【請求項２】
光源ランプとその光の強度を変調するライトバルブとを備えており、原則的には、入力映像信号の輝度レベルに応じて、ランプ電力が制御される投射型映像表示装置において、
入力映像信号がない場合、入力映像信号はあるが入力映像が投影されていない状態である場合および入力映像が投影されているが入力映像が全黒映像である場合には、ランプ電力を最小値に制御する手段を備えていることを特徴とする投射型映像表示装置。
【発明の詳細な説明】
【技術分野】
【０００１】
この発明は、液晶プロジェクタ、ＤＬＰプロジェクタ等の投射型映像表示装置に関する。
【背景技術】
【０００２】
液晶プロジェクタには、ランプ電力設定モードとして、ノーマルモードと、エコモードと、ＡＵＴＯモードとの３つのモードを備えているものがある。ノーマルモードではランプ電力が最大値（ＭＡＸ）に固定され、エコモードではランプ電力が最小値（ＭＩＮ）に固定される。ＡＵＴＯモードでは、入力映像信号の輝度レベルに応じて、ランプ電力が制御される。例えば、入力映像信号の平均輝度レベルが大きいほど、ランプ電力が大きくなるように、ランプ電力が制御される。なお、ランプ電力設定モードの設定は、ユーザによって行なわれる。
【０００３】
図３は、従来例でのランプ電力制御処理手順を示している。
【０００４】
まず、現在設定されているランプ電力設定モードを判別する（ステップＳ１０１）。現在設定されているランプ電力設定モードがノーマルモードであると判別した場合には、ランプ電力を最大値（ＭＡＸ）に設定した後（ステップＳ１０２）、ステップＳ１０１に戻る。なお、上記ステップＳ１０１の電力設定モードの判別は、所定フレーム数に相当する時間間隔毎に行なわれる。
【０００５】
上記ステップＳ１０１において、現在設定されているランプ電力設定モードがエコモードであると判別した場合には、ランプ電力を最小値（ＭＩＮ）に設定した後（ステップＳ１０３）、ステップＳ１０１に戻る。
【０００６】
上記ステップＳ１０１において、現在設定されているランプ電力設定モードがＡＵＴＯモードであると判別した場合には、入力映像信号の輝度レベル（例えば、入力映像信号の所定フレーム数分の輝度平均レベル）に基づいて、入力映像が全黒映像であるか否かを判別する（ステップＳ１０４）、入力映像が全黒映像であると判別した場合には、ランプ電力を最小値（ＭＩＮ）に設定した後（ステップＳ１０３）、ステップＳ１０１に戻る。
【０００７】
上記ステップＳ１０４において、入力映像が全黒映像ではないと判別した場合には、ランプ電力を入力映像信号の輝度レベル（例えば、入力映像信号の所定フレーム数分の輝度平均レベル）に応じた値に設定した後（ステップＳ１０５）、ステップＳ１０１に戻る。      
【０００８】
従来例では、エコモード時にはランプ電力が最小値（ＭＩＮ）に設定されるが、ノーマルモード時にはランプ電力は常に最大値（ＭＡＸ）となり、ランプ電力が最小値（ＭＩＮ）に設定されることはない。また、ＡＵＴＯモード時においては、入力映像が全黒映像である場合にのみ、ランプ電力が最小値（ＭＩＮ）に設定される。
【０００９】
ところで、ランプ電力が大きくなるほどランプの寿命は短くなる。また、液晶パネルおよび偏光板は、ランプ電力が大きくなるほどその温度が高くなるため、その寿命が短くなる。また、ランプ電力が大きくなるほど、液晶プロジェクタの消費電力が大きくなる。また、ランプ電力が大きくなると、内部温度が高くなるため、冷却ファンの回転数を高くする必要があるため、騒音が大きくなる。さらに、ランプ電力が大きくなると、液晶パネルの温度が高くなり、パネルの歪みが大きくなるため、黒ムラが発生しやすくなる。
【００１０】
このようなことから、ランプ電力は、できるだけ低く抑えることが好ましい。
【発明の開示】
【発明が解決しようとする課題】
【００１１】
この発明は、ランプ電力の低減化が図れる投射型映像表示装置を提供することを目的とする。
【課題を解決するための手段】
【００１２】
請求項１に記載の発明は、光源ランプとその光の強度を変調するライトバルブとを備えており、原則的には、ランプ電力が最大値となるように、ランプ電力が制御される投射型映像表示装置において、入力映像信号がない場合、入力映像信号はあるが入力映像が投影されていない状態である場合および入力映像が投影されているが入力映像が全黒映像である場合には、ランプ電力を最小値に制御する手段を備えていることを特徴とする。
【００１３】
請求項２に記載の発明は、光源ランプとその光の強度を変調するライトバルブとを備えており、原則的には、入力映像信号の輝度レベルに応じて、ランプ電力が制御される投射型映像表示装置において、入力映像信号がない場合、入力映像信号はあるが入力映像が投影されていない状態である場合および入力映像が投影されているが入力映像が全黒映像である場合には、ランプ電力を最小値に制御する手段を備えていることを特徴とする。
【発明の効果】
【００１４】
請求項１に記載の発明によれば、原則的には、ランプ電力が最大値となるように、ランプ電力が制御される投射型映像表示装置において、ランプ電力の低減化が図れるようになる。
【００１５】
請求項２に記載の発明によれば、原則的には、入力映像信号の輝度レベルに応じて、ランプ電力が制御される投射型映像表示装置において、ランプ電力の低減化が図れるようになる。
【発明を実施するための最良の形態】
【００１６】
以下、図面を参照して、この発明を液晶プロジェクタに適用した場合の実施例について説明する。
【実施例１】
【００１７】
図１は、液晶プロジェクタの構成を示している。
【００１８】
入力映像信号（Ｒ，Ｇ，Ｂ信号）は、映像信号処理回路１を介してライトバルブ（液晶パネル）２に送られる。なお、３は集光レンズ等の入射側光学系であり、４は投射レンズ等の出射側光学系である。
【００１９】
入力映像信号は輝度成分分離回路１１にも送られる。輝度成分分離回路１１は、入力映像信号から輝度成分を抽出する。輝度成分分離回路１１によって得られた輝度信号は、マイコン１０に送られる。マイコン１０は、光源ランプ１３を駆動するランプドライバ１２を制御する。マイコン１０には、リモコンからのリモコン信号や、本体操作部からの操作信号が入力される。
【００２０】
この液晶プロジェクタでは、ランプ電力設定モードとして、ノーマルモードと、エコモードと、ＡＵＴＯモードとの３つのモードを備えている。エコモードでは、ランプ電力が常に最小値（ＭＩＮ）に設定される。
【００２１】
ノーマルモードでは、ランプ電力は原則的には最大値（ＭＡＸ）に設定される。ただし、入力映像信号がない場合、入力映像信号はあるが入力映像が投影されていない状態である場合および入力映像が投影されているが入力映像が全黒映像である場合には、ランプ電力は最小値（ＭＩＮ）に設定される。入力映像信号はあるが入力映像が投影されていない状態である場合とは、投影画像がブルーバックとなるように制御されるブルーバックモードや、投影画像が全黒となるように制御されるノーショーモードがある。
【００２２】
ＡＵＴＯモードでは、原則的には、入力映像信号の輝度レベルに応じて、ランプ電力が制御される。例えば、入力映像信号の平均輝度レベルが大きいほど、ランプ電力が大きくなるように、ランプ電力が制御される。ただし、入力映像信号がない場合、入力映像信号はあるが入力映像が投影されていない状態である場合および入力映像が投影されているが入力映像が全黒映像である場合には、ランプ電力は最小値（ＭＩＮ）に設定される。
【００２３】
図２は、本実施例でのランプ電力制御処理手順を示している。
【００２４】
まず、現在設定されているランプ電力設定モードを判別する（ステップＳ１）。現在設定されているランプ電力設定モードがエコモードであると判別した場合には、ランプ電力を最小値（ＭＩＮ）に設定した後（ステップＳ２）、ステップＳ１に戻る。なお、上記ステップＳ１の電力設定モードの判別は、所定フレーム数（例えば、４〜１０フレーム）に相当する時間間隔毎に行なわれる。
【００２５】
上記ステップＳ１において、現在設定されているランプ電力設定モードがノーマルモードまたはＡＵＴＯモードであると判別した場合には、入力映像信号の有無を判別する（ステップＳ３）。入力映像信号の有無は、例えば、入力映像信号の同期信号が検出できたか否かに基づいて判別される。入力映像信号がないと判別した場合には、ランプ電力を最小値（ＭＩＮ）に設定した後（ステップＳ２）、ステップＳ１に戻る。
【００２６】
上記ステップＳ３において、入力映像信号があると判別した場合には、入力映像が投影されていない状態（例えば、ブルーバックモード，ノーショーモード）となっているか否かを判別する（ステップＳ４）。入力映像信号が投影されていない状態となっていると判別した場合には、ランプ電力を最小値（ＭＩＮ）に設定した後（ステップＳ２）、ステップＳ１に戻る。
【００２７】
上記ステップＳ４において、入力映像信号が投影されている状態であると判別した場合には、入力映像信号の輝度レベル（例えば、入力映像信号の所定フレーム数分の輝度平均レベル）に基づいて、入力映像が全黒映像であるか否かを判別する（ステップＳ５）、入力映像が全黒映像であると判別した場合には、ランプ電力を最小値（ＭＩＮ）に設定した後（ステップＳ２）、ステップＳ１に戻る。
【００２８】
上記ステップＳ５において、入力映像が全黒映像ではないと判別した場合には、上記ステップＳ１で判別されたランプ電力設定モードがノーマルモードであるかＡＵＴＯモードであるかを判別する（ステップＳ６）。上記ステップＳ１で判別されたランプ電力設定モードがノーマルモードであれば、ランプ電力を最大値（ＭＡＸ）に設定した後（ステップＳ７）、ステップＳ１に戻る。上記ステップＳ１で判別されたランプ電力設定モードがＡＵＴＯモードであれば、入力映像信号の輝度レベル（例えば、入力映像信号の所定フレーム数分の輝度平均レベル）に応じた値に設定した後（ステップＳ８）、ステップＳ１に戻る。
【００２９】
上記実施例では、ランプ電力設定モードがノーマルモードまたはＡＵＴＯモードである場合においても、入力映像信号がない場合、入力映像信号はあるが入力映像が投影されていない場合および入力映像が投影されているが入力映像が全黒映像である場合のように、投射映像に高輝度が要求されない場合には、ランプ電力が最小値（ＭＩＮ）に設定されるので、従来例に比べてランプ電力の低減化が図れるようになる。この結果、光源ランプ、液晶パネル、偏光板等の部品の寿命を延ばせるようになる。また、液晶プロジェクタの消費電力の低減化が図れるとともに冷却ファンによる騒音の低減化が図れるようになる。さらに、黒ムラが発生しにくくなる。
【図面の簡単な説明】
【００３０】
【図１】液晶プロジェクタの構成を示すブロック図である。
【図２】本実施例でのランプ電力制御処理手順を示すフローチャートである。
【図３】従来例でのランプ電力制御処理手順を示すフローチャートである。
【符号の説明】
【００３１】
１  映像信号処理回路
２  ライトバルブ（液晶パネル）
１０  マイコン
１１  輝度成分分離回路
１２  ランプドライバ
１３  光源ランプ
【図１】
2007025054.tif 000003
【図２】
2007025054.tif 000004
【図３】
2007025054.tif 000005